(57)【特許請求の範囲】
【請求項１】
測定器側に接続され導電部材からなる第１のクリップ部材と、
前記第１のクリップ部材に対向して設けられ、前記第１のクリップ部材に揺動可能に連結される第２のクリップ部材と、
前記第１のクリップ部材の先端部と前記第２のクリップ部材の先端部とを互いに接近させる方向に付勢する付勢手段と、
前記第１のクリップ部材の先端部と前記第２のクリップ部材の先端部とにより形成され、前記付勢手段により端子台の絶縁隔壁を挟持する挟持部と、
前記第１のクリップ部材の先端部に設けられ、該先端部に対して移動可能で、該先端部から離れる方向に付勢される接触子と、
を備え、
前記接触子は、前記挟持部が前記絶縁隔壁を挟持した状態で前記端子台の接続ネジの頭部に押圧されて接触し、前記第２のクリップ部材の先端部は、前記挟持部が前記絶縁隔壁を挟持した状態で前記絶縁隔壁を隔てて隣接する他の接続ネジの頭部に対して電気的に絶縁されていることを特徴とする鰐口クリップ。
【請求項２】
前記第２のクリップ部材は、絶縁体から構成されていることを特徴とする請求項１に記載の鰐口クリップ。
【請求項３】
前記挟持部には、前記絶縁隔壁に対する前記第１のクリップ部材と前記第２のクリップ部材の移動を阻止する滑り止め部材が設けられていることを特徴とする請求項１または２に記載の鰐口クリップ。
【発明の詳細な説明】
【技術分野】
【０００１】
この発明は、電気回路の測定などに用いられる鰐口クリップに関し、とくに端子台の絶縁隔壁に取付けて使用する鰐口クリップに関する。
【背景技術】
【０００２】
端子台は、電線同士を接続するために用いられており、例えば制御機器類を収納する制御盤の内面に取付けられている。端子台は、電線を接続するための接続ネジが横方向に複数並んで設けられており、各接続ネジは絶縁隔壁によって区画されている。
【０００３】
定期点検などにおける電気回路の測定は、測定器に接続された鰐口クリップで端子台の接続ネジの頭部を挟むことによって行われている。接続ネジの頭部は、半球面状をしていることから鰐口クリップで挟んでも、振動や衝撃などによって外れてしまうことがある。そこで、振動や衝撃などによって接続ネジから容易に外れることを防止するようにしたクリップが知られている（例えば、特許文献１、２参照）。特許文献１の端子ネジ接続用クリップは、接続ネジの頭部の外周部に筒状部材を嵌め込み、接続ネジの頂部に導体を接触させるようにしている。また、特許文献２の鰐口クリップは、３方向から接続ネジの頭部を挟むようにして、振動や衝撃による接続ネジからの外れを防止している。
【先行技術文献】
【特許文献】
【０００４】
【特許文献１】特開平０８−２７３７２７号公報
【特許文献２】特開２００９−２６６６３号公報
【発明の概要】
【発明が解決しようとする課題】
【０００５】
しかし、特許文献１の端子ネジ接続用クリップは、接続ネジの頭部に筒状部材を嵌め込む構造を採用しているので、接続ネジの頭部の外径が異なる場合は、使用することができないという問題がある。すなわち、接続ネジは使用目的に応じてサイズが異なり、筒状部材の内径に対して接続ネジの頭部の外径が小さすぎる場合や大きすぎる場合は、筒状部材によって接続ネジを確実に保持することができず、筒状部材が接続ネジから外れてしまうという問題がある。したがって、特許文献１の端子ネジ接続用クリップの場合は、接続ネジのサイズに応じた最適の大きさの筒状部材を多数用意しなければならないとともに、接続ネジの大きさが変わるごとに筒状部材を交換する必要がある。
【０００６】
特許文献２の鰐口クリップの場合は、３方向から接続ネジの頭部を挟むようにしているので、端子台の絶縁隔壁の取付け間隔が狭い場合は、鰐口クリップが絶縁隔壁と干渉し、接続ネジを挟むことができない。また、３方向から接続ネジを挟む構造の場合は、鰐口クリップの先端部を絶縁隔壁の間に進入させた状態で鰐口クリップの先端部を極力拡径させるために鰐口クリップの姿勢を調整する必要があり、２方向から挟む場合に比べて取扱いが面倒であるという問題がある。
【０００７】
そこでこの発明は、取扱いが容易で、振動や衝撃などに対しても接続ネジの頭部との接触を確実に維持することが可能な鰐口クリップを提供することを目的とする。
【課題を解決するための手段】
【０００８】
上記目的を達成するために請求項１に記載の発明は、測定器側に接続され導電部材からなる第１のクリップ部材と、前記第１のクリップ部材に対向して設けられ、前記第１のクリップ部材に揺動可能に連結される第２のクリップ部材と、前記第１のクリップ部材の先端部と前記第２のクリップ部材の先端部とを互いに接近させる方向に付勢する付勢手段と、前記第１のクリップ部材の先端部と前記第２のクリップ部材の先端部とにより形成され、前記付勢手段により端子台の絶縁隔壁を挟持する挟持部と、前記第１のクリップ部材の先端部に設けられ、該先端部に対して移動可能で、該先端部から離れる方向に付勢される接触子と、を備え、前記接触子は、前記挟持部が前記絶縁隔壁を挟持した状態で前記端子台の接続ネジの頭部に押圧されて接触し、前記第２のクリップ部材の先端部は、前記挟持部が前記絶縁隔壁を挟持した状態で前記絶縁隔壁を隔てて隣接する他の接続ネジの頭部に対して電気的に絶縁されていることを特徴とする鰐口クリップである。
【０００９】
この発明によれば、挟持部が端子台の絶縁隔壁を挟持した状態では、接触子が接続ネジの頭部に押圧されて接触し、第２のクリップ部材の先端部が絶縁隔壁を隔てて隣接する他の接続ネジの頭部と電気的に絶縁される。
【００１０】
請求項２に記載の発明は、請求項１に記載の鰐口クリップにおいて、前記第２のクリップ部材は、絶縁体から構成されていることを特徴としている。
【００１１】
請求項３に記載の発明は、請求項１または２に記載の鰐口クリップにおいて、前記挟持部には、前記絶縁隔壁に対する前記第１のクリップ部材と前記第２のクリップ部材の移動を阻止する滑り止め部材が設けられていることを特徴としている。
【発明の効果】
【００１２】
請求項１に記載の発明によれば、挟持部によって端子台の絶縁隔壁を挟持し、かつ、第１のクリップ部材の接触部が接続ネジの頭部に押圧されるため、接続ネジの頭部を挟む従来構造に比べて、振動や衝撃が生じても接触子と接続ネジとの接触を確実に維持することができる。また、鰐口クリップの絶縁隔壁への取付けは、挟持部によって絶縁隔壁を挟持するのみでよいので、電気回路の測定時における鰐口クリップの取扱いが従来構造に対して容易となる。さらに、絶縁隔壁の間には、第１のクリップ部材または第２のクリップ部材のいずれか一方のみが進入するだけとなるので、絶縁隔壁の間が狭い場合でも使用することができ、サイズの異なる種々の端子台に適用することができる。
【００１３】
請求項２に記載の発明によれば、第２のクリップ部材は絶縁体から構成されているので、第２のクリップ部材の先端部に新たな絶縁部品を取付ける必要がなく、鰐口クリップの構造を簡素化することができる。
【００１４】
請求項３に記載の発明によれば、挟持部には滑り止め部材が設けられているので、振動や衝撃による第１のクリップ部材と第２のクリップ部材の絶縁隔壁に対する移動を阻止することができ、第１のクリップ部材と接続ネジとの接触の信頼性をさらに高めることができる。
【図面の簡単な説明】
【００１５】
【図１】本発明の実施の形態１に係わる鰐口クリップの使用状態を示す正面図である。
【図２】図１の鰐口クリップの拡大正面図である。
【図３】図２の鰐口クリップにおける先端部の部分拡大断面図である。
【図４】図２の鰐口クリップにおける第１のクリップ部材の斜視図である。
【図５】図２の鰐口クリップを端子台に取付ける直前の状態を示す平面図である。
【図６】図２の鰐口クリップによる電気回路の点検状態を示す平面図である
【図７】本発明の実施の形態２に係わる鰐口クリップの正面図である。
【図８】図７の鰐口クリップにおける滑り止め部材近傍の拡大正面図である。
【図９】本発明の実施の形態３に係わる鰐口クリップの使用状態を示す正面図である。
【図１０】本発明の実施の形態４に係わる鰐口クリップの使用状態を示す正面図である。
【図１１】図１０の鰐口クリップの拡大正面図である。
【図１２】図１０の鰐口クリップにおける接触板バネの拡大平面図である。
【発明を実施するための形態】
【００１６】
つぎに、この発明の実施の形態について図面を用いて詳しく説明する。
【００１７】
（実施の形態１）
図１ないし図６は、この発明の実施の形態１を示している。図１、５は、本発明の鰐口クリップ１が適用される端子台１００を示している。端子台１００は、合成樹脂からなる複数のベース１０１を有している。ベース１０１の側面には、合成樹脂からなる絶縁隔壁１０２が設けられている。絶縁隔壁１０２は、ベース１０１と一体成形されており、ベース１０１の一方の側面にのみ成形されている。複数のベース１０１は、保持レール１０５によって横並びに保持されている。
【００１８】
各ベース１０１の上面には、一方の電線１０６と他方の電線１０７とを接続するための金属製の接続板１０４が固定されている。接続板１０４の両端部には、接続ネジ１０３が螺合されている。接続ネジ１０３は、電線１０６、１０７の端部を接続板１０４に固定するためのものである。接続ネジ１０３は、頭部１０３ａが半球面状に形成されている。絶縁隔壁１０２は、ベース１０１の上面から上方に突出しており、上端部は接続ネジ１０３の頭部１０３ａよりも上方に位置している。これにより、各ベース１０１の接続ネジ１０３および接続板１０４は、絶縁隔壁１０２によって区画されている。
【００１９】
図１は、鰐口クリップ１を示している。鰐口クリップ１は、第１のクリップ部材２と、第２のクリップ部材３と、連結軸４と、付勢手段としての捩りバネ５と、挟持部６を備えている。第１のクリップ部材２は、導電部材である金属板から構成されており、断面形状がコの字状となるように折り曲げ加工されている。図２に示すように、第１のクリップ部材２の長手方向の一方には、力点としての押圧部２ａが形成されている。第１のクリップ部材２の長手方向の他方には、作用点としての先端部２ｂが形成されている。押圧部２ａと先端部２ｂとの間には、支点部２ｃが形成されている。支点部２ｃには、図４に示すように連結穴２ｃ１が形成されている。連結穴２ｃ１には、後述する連結軸４が挿入可能となっている。第１のクリップ部材２の押圧部２ａの内面側には、リード線２ｊが接続されている。リード線２ｊは、後述する測定器３１に接続可能となっている。
【００２０】
第１のクリップ部材２の先端部２ｂ側の内側には、端子台１００の絶縁隔壁１０２と接触可能な挟持面２ｄが形成されている。挟持面２ｄは、三角波が連続する波形に形成されている。第１のクリップ部材２の先端部２ｂには、接続ネジ１０３と接触可能な接触子２ｆが設けられている。接触子２ｆは、外形が略Ｌ字形に形成されている。接触子２ｆは、先端部２ｂに対して矢印Ｆ１方向に移動可能となっている。接触子２ｆは、先端部２ｂに移動可能に嵌め込まれる筒部２ｆ１と、筒部２ｆ１に対して直交する方向に延びる接触部２ｆ２を有している。筒部２ｆ１の内側に形成された空間部２ｆ３には、圧縮コイルバネ２ｈが設けられている。圧縮コイルバネ２ｈの一端は、接触部２ｆ２の内面に接触している。圧縮コイルバネ２ｈの他端は、第１のクリップ部材２の先端部２ｂ側の内側に固定された保持壁２ｅと接触している。
【００２１】
圧縮コイルバネ２ｈの内側には、保持軸２ｇが設けられている。保持軸２ｇは、保持壁２ｅに形成された保持穴（図示略）に挿入されており、一端部２ｇ１が接触部２ｆ２の内面に固定されている。保持軸２ｇの他端部には、保持壁２ｅと当接可能なストッパー２ｇ２が形成されている。これにより、接触子２ｆは、圧縮コイルバネ２ｈによって先端部２ｂから離れる方向に付勢されている。圧縮コイルバネ２ｈによる接触子２ｆの移動距離は、ストッパー２ｇ２が保持壁２ｅと当接することにより規制されている。筒部２ｆ１の内面と先端部２ｂの外面との間には、導電性部材からなる円弧状の板バネ２ｉが設けられている。板バネ２ｉは、接触子２ｆと先端部２ｂとの電気的接触抵抗を低減する機能を有している。
【００２２】
図２に示すように、第２のクリップ部材３は第１のクリップ部材２に対向して設けられている。第２のクリップ部材３は、第１のクリップ部材２とは異なり、電気を通さない絶縁体から構成されている。この実施の形態１では、第２のクリップ部材３は高い電気絶縁抵抗を有する合成樹脂から構成されている。図２に示すように、第２のクリップ部材３の長手方向の一方には、力点としての押圧部３ａが形成されている。第２のクリップ部材３の長手方向の他方には、作用点としての先端部３ｂが形成されている。押圧部３ａと先端部３ｂとの間には、支点部２ｃが形成されている。第２のクリップ部材３の先端部３ｂ側の内側には、端子台１００の絶縁隔壁１０２と接触可能な挟持面３ｄが形成されている。挟持面３ｄは、三角波が連続する波形に形成されている。
【００２３】
第２のクリップ部材３の支点部３ｃには、第１のクリップ部材２との連結に用いられる連結穴（図示略）が形成されている。図２に示すように、第２のクリップ部材３は、連結軸４を介して第１のクリップ部材２に揺動可能に連結されている。連結軸４の外周には、第１のクリップ部材２の先端部２ｂと第２のクリップ部材３の先端部３ｂとを互いに接近させる方向に付勢する付勢手段としての捩りバネ５が設けられている。第１のクリップ部材２の挟持面２ｄと第２のクリップ部材３の挟持面３ｄは、捩りバネ５の付勢力によって密着している。
【００２４】
鰐口クリップ１には、第１のクリップ部材２の挟持面２ｄと第２のクリップ部材３の挟持面３ｄとにより形成され、捩りバネ５により端子台１００の絶縁隔壁１０２を挟持する挟持部６を有している。挟持部６は、端子台１００の絶縁隔壁１０２を確実に挟む機能を有していればよく、接続ネジ１０３を挟む機能を必要としない。第１のクリップ部材２の先端部２ｂは、挟持部６が絶縁隔壁１０２を挟持した状態で端子台１００の接続ネジ１０３の頭部１０３ａに接触し、第２のクリップ部材３の先端部３ｂは、挟持部６が絶縁隔壁１０２を挟持した状態で絶縁隔壁１０２を隔てて隣接する他の接続ネジ１０３の頭部１０３ａに対して電気的に絶縁されている。すなわち、第２のクリップ部材３は、高い電気的絶縁抵抗を有する絶縁体から構成されているので、挟持部６が絶縁隔壁１０２を挟持した状態では、第２のクリップ部材３は接続ネジ１０３の頭部１０３ａに対して電気的に絶縁されている。
【００２５】
つぎに、実施の形態１における鰐口クリップ１の使用方法および作用について説明する。
【００２６】
電気回路の定期点検などにおいては、電圧などの測定は、電線１０６および電線１０７が接続される端子台１００の接続ネジ１０３を利用して行われる。図６に示すように、電気回路の測定は、２つの鰐口クリップ１を端子台１００の絶縁隔壁１０２に取付けて行う。測定に際しては、まず２つの鰐口クリップ１のリード線２ｊを測定器３１に接続する。この状態で、各鰐口クリップ１における第１のクリップ部材２の押圧部２ａと第２のクリップ部材３の押圧部３ａとを互いに近づける方向に手で押すことにより、第１のクリップ部材２の先端部２ｂと第２のクリップ部材３の先端部３ｂが離れ、端子台１００の絶縁隔壁１０２を挟むことが可能となる。
【００２７】
図５は、鰐口クリップ１を端子台１００に取付ける直前の状態を示している。この状態では、第１のクリップ部材２の先端部２ｂと第２のクリップ部材３の先端部３ｂとの間に絶縁隔壁１０２が位置するように鰐口クリップ１を位置決めする。そして、第１のクリップ部材２の接触子２ｆを接続ネジ１０３の頭部１０３ａに接触させた状態で、第１のクリップ部材２の押圧部２ａと第２のクリップ部材３の押圧部３ａとから手を離す。これにより、第１のクリップ部材２の先端部２ｂａと第二のクリップ部材３の先端部３ｂは、捩りバネ５の付勢力によって互いに近づく方向に移動し、絶縁隔壁１０２は第１のクリップ部材２の挟持面２ｄと第２のクリップ部材３の挟持面３ｄとによって挟持される。
【００２８】
図１は、絶縁隔壁１０２が第１のクリップ部材２の挟持面２ｄと第二のクリップ部材３の挟持面３ｄとによって挟持された状態を示している。この状態では、第１のクリップ部材２の接触子２ｆが接続ネジ１０３の頭部１０３ａと接触している。すなわち、この状態では、図３に示す接触子２ｆの接触部２ｆ２が圧縮コイルバネ２ｈによって接続ネジ１０３の頭部１０３ａに押圧されるので、接触部２ｆ２は接続ネジ１０３の頭部１０３ａに確実に接触することになる。また、接触部２ｆ２は、筒部２ｆ１と導電性の板バネ２ｉを介して第１のクリップ部材２の先端部２ｂと接触しているので、接触不良を回避することができ、接続ネジ１０３は鰐口クリップ１を介して測定器３１と電気的に接続されることになる。したがって、図６に示すように、接続ネジ１０３に印加されている電圧を測定器３１によって正確に読み取ることが可能となる。
【００２９】
このように、鰐口クリップ１の挟持部６によって端子台１００の絶縁隔壁１０２を挟持するようにしているので、接続ネジ１０３の頭部１０３ａを挟む従来構造に比べて、振動や衝撃が生じても、第１のクリップ部材２と接続ネジ１０３との接触を確実に維持することができる。また、第１のクリップ部材２の絶縁隔壁１０２への取付けは、挟持部６によって絶縁隔壁１０２を挟持するのみでよいので、電気回路の測定時における鰐口クリップ１の取扱いが従来構造に対して容易となる。
【００３０】
さらに、絶縁隔壁１０２とこれに隣接する絶縁隔壁１０２との間には、第１のクリップ部材２または第２のクリップ部材３のいずれか一方のみが進入するだけとなるので、絶縁隔壁１０２の間が狭い場合でも使用することができ、サイズの異なる種々の端子台１００に適用することができる。そして、第２のクリップ部材２は絶縁体から構成されているので、第２のクリップ部材２の先端部２ｂに新たな絶縁部品を取付ける必要がなく、鰐口クリップ１の構造を簡素化することができる。
【００３１】
（実施の形態２）
図７および図８は、この発明の実施の形態２を示している。実施の形態２が実施の形態１と異なるところは、滑り止め部材１０の有無のみであり、その他の部分は実施の形態１に準じるので、準じる部分に実施の形態１と同一の符号を付すことにより、その説明を省略する。後述する他の実施の形態も同様とする。
【００３２】
図７に示すように、鰐口クリップ１の挟持部６には、滑り止め部材１０が取付けられている。すなわち、第１のクリップ部材２の挟持面２ｄと第２のクリップ部３の挟持面３ｄには、それぞれ滑り止め部材１０が取付けられている。滑り止め部材１０は、絶縁隔壁１０２に対する第１のクリップ部材２と第２のクリップ部材３の移動を阻止する機能を有している。
【００３３】
図８に示すように、滑り止め部材１０には、複数の突起１０ａが連続して形成されている。突起１０ａは、先端部が斜め方向に延びるように形成されており、挟持部６によって端子台１００の絶縁隔壁１０２を挟持した状態では、鰐口クリップ１が接続ネジ１０３から離れる方向（矢印Ｆ２方向）に対して移動を阻止する機能を有している。
【００３４】
このように構成された実施の形態２においては、挟持部６には滑り止め部材１０が設けられているので、振動や衝撃による第１のクリップ部材２と第２のクリップ部材３の絶縁隔壁１０２に対する移動を阻止することができ、第１のクリップ部材２と接続ネジ１０３との接触の信頼性をさらに高めることができる。
【００３５】
（実施の形態３）
図９は、この発明の実施の形態３を示している。実施の形態１、２においては、第２のクリップ部材３は絶縁体から構成されていたが、実施の形態３では第２のクリップ部材３１は導電部材としての金属板から構成されている。実施の形態３では、第２のクリップ部材３１と隣接する接続ネジ１０３との電気的絶縁を保つために、第２のクリップ部材３１の挟持面３ｄには、絶縁隔壁１０２の頂部１０２ａと当接可能な切欠部３ｆが形成されている。これにより、挟持部６によって端子台１００の絶縁隔壁１０２を挟持した状態では、第２のクリップ部材３１の先端部３ｂと接続ネジ１０３との距離はＨに設定され、第２のクリップ部材３１と接続ネジ１０３との電気的絶縁が保たれている。
【００３６】
また、実施の形態３においては、第１のクリップ部材２の先端部２ｂには、図３の接触子２ｆの代用として接触板２ｋが形成されている。接触板２ｋは、先端部２ｂに対して直交する方向に延びている。接触板２ｋは、矢印Ｆ３方向に弾性変形可能となっており、挟持部６によって端子台１００の絶縁隔壁１０２を挟持した状態では、自己弾性により接続ネジ１０３に密着するようになっている。
【００３７】
このように構成された実施の形態３においては、第２のクリップ部材３に切欠部３ｆが形成されているので、第２のクリップ部材３を絶縁体から構成することなく、第２のクリップ部材３と接続ネジ１０３との電気的絶縁を保つことができる。また、弾性変形可能な接触板２ｋを用いているので、構造が複雑な接触子２ｆを用いることなく第１のクリップ部材２と接続ネジ１０３との接触性能を高めることが可能となる。
【００３８】
（実施の形態４）
図１０ないし図１２は、この発明の実施の形態４を示している。実施の形態１においては、接触子２ｆを接続ネジ１０３に接触させる構成としたが、実施の形態３では接触バネ２１を用いて接続ネジ１０３と接触させる構成を採用している。図１１に示すように、第１のクリップ部材２の先端部２ｂの外側には、接触バネ２１が設けられている。接触バネ２１は、基板２１ａと線状バネ本体２１ｂから構成されている。基板２１ａは、導電部材である金属板からなり、例えば第１のクリップ部材２に半田付けによって取付けられている。線状バネ本体２１ｂは、基板２１ａの上面に接合されており、基板２１ａと電気的に接続されている。線状バネ本体２１ｂは、複数の微細な線状バネが板状に集合したものであり、接続ネジ１０３との接触時には、矢印Ｆ４方向に弾性変形するようになっている。
【００３９】
このように構成された実施の形態４においては、挟持部６が端子台１００の絶縁隔壁１０２を挟持した状態では、接触バネ２１の線状バネ本体２１ｂが接続ネジ１０３に接触する。これと同時に、第２のクリップ部材３も隣接する接続ネジ１０３に接触するが、第２のクリップ部材３は、絶縁体から構成されているので、第２のクリップ部材３とこの接続ネジ１０３との導通は回避される。また、鰐口クリップ１を端子台１００に向けて押し込むことで、接触バネ２１が絶縁隔壁１０２と接続ネジ１０３との間に食い込むことになり、接触バネ２１と接続ネジ１０３との接触をより確実なものとすることができる。
【００４０】
以上、この発明の実施の形態を詳述してきたが、具体的な構成は上記の実施の形態に限られるものではなく、この発明の要旨を逸脱しない範囲の設計の変更等があっても、この発明に含まれる。例えば、実施の形態１において、第２のクリップ部材３を絶縁体から構成したが、第２のクリップ部材３を金属部材から構成し、この金属部材の全体を絶縁樹脂で覆う構成としてもよい。また、実施の形態３において、第２のクリップ部材３１を導電部材としての金属板から構成し、電気的絶縁を保つために挟持面３ｄ側に絶縁隔壁１０２の頂部１０２ａと当接可能な切欠部３ｆを形成するようにしたが、電気的絶縁を確実なものとするため先端部３ｂを絶縁キャップで覆う構成としてもよい。
【符号の説明】
【００４１】
１              鰐口クリップ
２              第１のクリップ部材
２ｂ            先端部
２ｄ            挟持面
２ｆ            接触子
３              第２のクリップ部材
３ｂ            先端部
３ｄ            挟持面
３ｆ            切欠部
４              連結軸
５              捩りバネ（付勢手段）
６              挟持部
１０            滑り止め部材
３１            測定器
１００          端子台
１０２          絶縁隔壁
１０３          接続ネジ
【図１】
0005431112.tif 000002
【図２】
0005431112.tif 000003
【図３】
0005431112.tif 000004
【図４】
0005431112.tif 000005
【図５】
0005431112.tif 000006
【図６】
0005431112.tif 000007
【図７】
0005431112.tif 000008
【図８】
0005431112.tif 000009
【図９】
0005431112.tif 000010
【図１０】
0005431112.tif 000011
【図１１】
0005431112.tif 000012
【図１２】
0005431112.tif 000013